(57)【特許請求の範囲】
【請求項１】
建造物外壁にほぼ平行な第１方向と第２方向にレールを設置する工程と、
前記第１方向のレールと第２方向のレールが互いに交差するコーナー部を設ける工程と、
前記第１方向のレール上に前記レールに沿って滑走可能なローラーを設置する工程と、
前記第１方向のレール上のローラー上にプレキャスト製バルコニーを載置する工程と、
前記第１方向のレールに沿って前記プレキャスト製バルコニーを前記コーナー部に搬送する工程と、
前記コーナー部において、前記プレキャスト製バルコニーを昇降手段によって上昇させて前記第１方向のレール上のローラーを取り外し、前記第２方向のレール上に前記レールに沿って滑走可能なローラーを設置し、続いて前記プレキャスト製バルコニーを昇降手段によって下降させて前記第２方向のレール上のローラー上に載置し換える工程と、
前記プレキャスト製バルコニーをスライドさせて取り付け場所に搬送する工程と、
を有することを特徴とするプレキャスト製バルコニーのスライド工法。
【請求項２】
建造物外壁にほぼ平行な第１方向と第２方向にレールを設置する工程と、
前記第１方向のレールと第２方向のレールが互いに交差するコーナー部を設ける工程と、
前記第１方向のレールに着脱可能なローラーを設置する工程と、
前記第１方向のレールのローラー上にプレキャスト製バルコニーを載置する工程と、
前記第１方向のレールに沿って前記プレキャスト製バルコニーを前記コーナー部に搬送する工程と、
前記コーナー部において、前記プレキャスト製バルコニーを昇降手段によって上昇させて前記第１方向のレールのローラーを取り外し、前記第２方向のレールに前記ローラーを設置し、続いて前記プレキャスト製バルコニーを昇降手段によって下降させて前記第２方向のレールのローラー上に載置し換える工程と、
前記プレキャスト製バルコニーをスライドさせて取り付け場所に搬送する工程と、
を有することを特徴とするプレキャスト製バルコニーのスライド工法。
【請求項３】
前記第２方向のレール上のローラー上に前記プレキャスト製バルコニーを載置し換える工程において、プレキャスト製バルコニーは建造物の外壁からの設計された突出距離に合わせてほぼ正確に載置し換えるようにしたことを特徴とする請求項１または２に記載のプレキャスト製バルコニーのスライド工法。
【請求項４】
前記プレキャスト製バルコニーを取付場所に搬送した後に昇降手段によって前記プレキャスト製バルコニーを昇降させて設計高さに設置する工程をさらに有することを特徴とする請求項１〜３のいずれかに記載のプレキャスト製バルコニーのスライド工法。
【発明の詳細な説明】
【技術分野】
【０００１】
本発明はプレキャスト工法によって製造したバルコニーを建造物に取り付ける工法およびそれに使用する装置に関する。
【０００２】
特に、本発明は、通常はクレーン等のみによってバルコニーの取付位置に搬送可能なプレキャスト製バルコニーを人力によっても搬送できるようにしたプレキャスト製バルコニーのスライド工法およびその搬送装置に関する。
【背景技術】
【０００３】
たとえば高層集合住宅のような建造物は、建造物の外壁に多数のバルコニーを取り付けることがよくある。
【０００４】
現在では工場で予めコンクリート打設成形したバルコニー（プレキャスト製バルコニー）を建築現場で建造物に取り付けることが広く行われている。
【０００５】
従来はプレキャスト製バルコニーは、工場で製造された後に建築現場に搬送され、クレーン等の起重機によって吊り上げられ、建造物の所定のバルコニー取付場所に搬送され、取付場所で細かく位置調整が行われた後に仮に固定されていた。
【０００６】
所定の数のプレキャスト製バルコニーが仮固定されると、これらのプレキャスト製バルコニーの基端部は建造物の外壁の一部と一体的にコンクリート打ちされ、建造物と一体化された。
【０００７】
従来は通常は上述したように、クレーンによってプレキャスト製バルコニーを吊り上げるようにしていたが、特許第２８７７１４８号には、プレキャスト製バルコニーを対象とするものではないが建造物の外部にガイドレールを立設し、このガイドレールに沿って上下に昇降できるすべり架台を設け、架台上にレールを設け、前記レール上に台車を設けた高層建築建設現場内部への重量資材荷揚げ搬入装置が記載されている。
【特許文献１】特許第２８７７１４８号公報
【発明の開示】
【発明が解決しようとする課題】
【０００８】
従来のプレキャスト製バルコニーの取り付け方法は上述したように、クレーンによってプレキャスト製バルコニーを取付場所に吊り上げ、仮固定した後に建造物と一体的にコンクリート打ちする。
【０００９】
しかし、従来のプレキャスト製バルコニーの取り付け方法は、クレーンが届く範囲でなら取付が可能であったが、クレーンが届かない所のバルコニーはプレキャスト製バルコニーを取り付けることができなかった。
【００１０】
図１０に従来のプレキャスト製バルコニーの取り付け方法の問題を示す。
【００１１】
図１０において、符号３０はバルコニーを取り付けようとする新築の建造物を示している。
【００１２】
この建造物３０の側面と背面には既設の建物３１，３２が存在するとする。また、建造物３０と既設の建物３１，３２の間には細い路地しかないものとする。
【００１３】
この場合に、クレーン３３は建造物３０の前面と側面の道路に設置する以外に設置することができないので、図９に示すように、バルコニーの取付場所に応じて移動させて設置する。
【００１４】
しかし、それでも図に示すように、既設の建物との間の道路から遠い部分はクレーン３３のブームが届かない。
【００１５】
そのため、従来はこのようなクレーン３３のブームが届かない場所のバルコニーは、プレキャスト製のバルコニーを使用できず、現場で型枠を新たに組んでコンクリート打ちしてバルコニーを建設していた。
【００１６】
そこで、本発明が解決しようとする課題は、クレーンが届かない場所にもプレキャスト製のバルコニーを搬送して取り付けられるようにした工法を提供することにある。
【課題を解決するための手段】
【００１７】
本発明のプレキャスト製バルコニーのスライド工法は、建造物外壁にほぼ平行にレールを設置する工程と、前記レール上に前記レールに沿って滑走可能なローラーを設置する工程と、前記ローラー上にプレキャスト製バルコニーを載置する工程と、前記プレキャスト製バルコニーをスライドさせて取り付け場所に搬送する工程と、を有することを特徴とするものである。
【００１８】
また、本発明のプレキャスト製バルコニーのスライド工法は、建造物外壁にほぼ平行に頂部にローラーを有するレールを設置する工程と、前記レール上にプレキャスト製バルコニーを載置する工程と、
前記プレキャスト製バルコニーをスライドさせて取り付け場所に搬送する工程と、有することを特徴とするものである。
【００１９】
本発明のプレキャスト製バルコニーのスライド工法は、第１方向のレールと第２方向のレールが互いに交差するコーナー部を設ける工程と、前記第１方向のレールに沿って前記プレキャスト製バルコニーを前記コーナー部に搬送する工程と、前記コーナー部において、前記プレキャスト製バルコニーを昇降手段によって上昇させて前記第１方向のレール上のローラーを取り外し、続いて前記プレキャスト製バルコニーを昇降手段によって下降させて前記第２方向のレール上に設置したローラ上に載置し換える工程をさらに有することができる。
【００２０】
また、本発明のプレキャスト製バルコニーのスライド工法は、第１方向のレールと第２方向のレールが互いに交差するコーナー部を設ける工程と、前記第１方向のレールに沿って前記プレキャスト製バルコニーを前記コーナー部に搬送する工程と、前記コーナー部において、前記プレキャスト製バルコニーを昇降手段によって上昇させて前記第１方向のレールを取り外し、続いて前記プレキャスト製バルコニーを昇降手段によって下降させて前記第２方向のレール上に載置し換える工程をさらに有することができる。
【００２１】
また、本発明のプレキャスト製バルコニーのスライド工法は、前記ローラー上または前記頂部にローラーを有するレール上に前記プレキャスト製バルコニーを載置する工程において、プレキャスト製バルコニーは建造物の外壁からの設計された突出距離に合わせてほぼ正確に載置するようにすることができる。
【００２２】
また、本発明のプレキャスト製バルコニーのスライド工法は、第２方向のローラー上または第２方向のレール上に前記プレキャスト製バルコニーを載置し換える時に、プレキャスト製バルコニーは建造物の外壁からの設計された突出距離に合わせてほぼ正確に載置し換えるようにすることができる。
【００２３】
また、本発明のプレキャスト製バルコニーのスライド工法は、前記プレキャスト製バルコニーを取付場所に搬送した後に昇降手段によって前記プレキャスト製バルコニーを昇降させて設計高さに設置する工程をさらに有することができる。
【００２４】
本発明のプレキャスト製バルコニースライド用ローラーは、円柱状部分を有する複数の転がり部材と、前記各転がり部材の両端から突出した回転軸と、前記各転がり部材の両回転軸の端部を回転可能に支持する一対の枠部材と、前記枠材から前記各転がり部材の外周面に接する面を超えて突設させた少なくとも１対のガイド部材とを有することを特徴とするものである。
【００２５】
本発明のプレキャスト製バルコニースライド用のレールは、円柱状部分を有する複数の転がり部材と、前記各転がり部材の両端から突出した回転軸と、前記各転がり部材の両回転軸の端部を回転可能に支持する一対の枠部材とを有するローラーと、前記ローラーの枠部材を保持する保持部材と、前記保持部材を支持する支持部材とを有することを特徴とするものである。
【発明の効果】
【００２６】
本発明によれば、建造物外壁にほぼ平行にレールを設置し、もっともクレーンが届きやすい場所を搬入領域としてプレキャスト製バルコニーをレール上に載置し、順次人間の力によってプレキャスト製バルコニーをスライドさせ、クレーンの届き難いバルコニーの取付場所にもプレキャスト製バルコニーを容易に搬送して取り付けることができる。
【００２７】
また、建造物の角を迂回するなど、バルコニー取付場所までのバルコニー搬送路がコーナー部を有する場合において、本発明によればコーナー部でレールを互いに交差させ、コーナー部にプレキャスト製バルコニーを搬送し、コーナー部おいてプレキャスト製バルコニーを最初に搬送したレールから他のレールに載置し換えることができ、これによってコーナー部で搬送方向を変えて、従来クレーンでは届かないバルコニー取付場所にプレキャスト製バルコニーを人力によって搬送して取り付けることができる。
【発明を実施するための最良の形態】
【００２８】
以下に本発明の実施形態について説明するが、本発明はこれに限定されるものではない。
【００２９】
図１は、本発明の一実施形態によるプレキャスト製バルコニーのスライド工法の一工程を示している。
【００３０】
図１において、符号１は建造物を示している。建造物１は、４層建ての建物であり、すでに２階部分と３階部分のバルコニーは取り付けを完了し、バルコニーが建造物と一体的にコンクリート打ちされた状態になっており、現在は４階部分のバルコニーを取り付けているところを示している。
【００３１】
図１に示すように、本実施形態の工法では、階下のバルコニー上に足場２を設け、足場２の両側に間隔をおいて支持部材３を立て、支持部材３の上部に建造物１の外壁と平行にレール４を設けている。そして、クレーン５がアクセスしやすい場所を搬入領域６とし、クレーン５によってプレキャストしたプレキャスト製バルコニー７を吊り上げ、搬入領域６のレール４上に載置する。
【００３２】
レール４上に載置したプレキャスト製バルコニー７は順次人力によって図示する矢印の方向にレール４上をスライドさせ、各プレキャスト製バルコニー７を取り付けるべき取付場所に搬送した後に、そこでプレキャスト製バルコニー７を仮固定する。所定数のプレキャスト製バルコニー７を仮固定した後に、プレキャスト製バルコニー７の基端部と建造物１の柱の一部と外壁の一部とにコンクリートを打設し、プレキャスト製バルコニー７と建造物１とを一体化させる。
【００３３】
図２は、図１の建造物１を側面から見たところを示している。
【００３４】
図２に示すように、建造物１の２階、３階部分のバルコニーはすでに建造物１と一体的に取り付けられている。４階部分のバルコニーを取り付けるために、３階のバルコニーの上に足場２と支持部材３を設け、支持部材３上にレール４を敷設する。レール４は、断面が中空の矩形の鋼材とすることが好ましい。レール４の上にプレキャスト製バルコニー７を載置し、紙面に垂直の方向に人力によってスライドさせて搬送する。
【００３５】
なお、最初にプレキャスト製バルコニー７をレール４上に載置する位置は、設計された建造物１の外壁からのプレキャスト製バルコニー７の突出距離に合わせてほぼ正確に載置するのが好ましい。これにより、プレキャスト製バルコニー７をレール４に沿ってスライドさせてバルコニー取付場所に搬送したときに、そのままプレキャスト製バルコニー７を仮固定することができる。この場合には、バルコニー取付場所での時間がかかる位置調整の作業が省かれあるいは少なくとも大幅に簡略化され、工事の作業効率を著しく向上させることができる。、
なお、図２に示すように、プレキャストされたプレキャスト製バルコニー７は、最終的な完成状態より薄くなっており、基端部は建造物１の外壁より建物内側に入り込むようになっている。建造物１の柱や外壁はプレキャスト製バルコニー７の基端部とともにコンクリート打ちできるように建造物１の４階部分に示すように接合部が空隙になっている。当該４階の部分の点線で示す輪郭はコンクリート打ちをした後の形状を示している。なお一方、建造物１の２，３階部分は、すでにバルコニーと建造物が一体的にコンクリート打ちされた状態を示している。
【００３６】
図１と図２から分かるように、本発明のプレキャスト製バルコニーのスライド工法は、各階のバルコニーに共通したクレーン５がアクセスしやすい場所を搬入領域６とし、下の方の階からバルコニーを取り付けるようにし、２階のバルコニーを取り付ける際は地面に足場２と支持部材３を立て、３階以上の階のバルコニーについては階下のすでに完成したバルコニー上に足場２と支持部材３を立て、さらに立設した支持部材３の上にレール４を敷設し、搬入領域６からプレキャスト製バルコニー７を搬入してはレール４上に載置しては人力によって順次プレキャスト製バルコニー７をレール４に沿ってスライドさせて、奥の方のバルコニー取付場所からプレキャスト製バルコニー７を順次仮固定し、一定の数のプレキャスト製バルコニー７が仮固定された後は、プレキャスト製バルコニー７と建造物１の柱や外壁と一体的にコンクリート打ちする。
【００３７】
このようにすることにより、クレーン５がアクセスしやすい場所を搬入領域６と定め、下の方の階のバルコニーから順次プレキャスト製バルコニー７を搬入し、奥の方からプレキャスト製バルコニー７を取り付け、最終的には全階のバルコニーを取り付けることができる。
【００３８】
このように本発明はクレーン５がアクセスしやすい搬入領域６の一カ所から搬入して全階のバルコニー取付場所にプレキャスト製バルコニーを搬送して取り付けることができることは特筆すへきことである。
【００３９】
次に、本発明による工法の詳細について以下に説明する。
【００４０】
図３は本発明による工法・装置を詳細に示している。
【００４１】
図３に示すように、本発明の工法によってプレキャスト製バルコニーを取り付けるときは、目的とする階の下の階のバルコニーに足場２と、支持部材３と、必要に応じて昇降手段支柱８とを立設する。支持部材３と昇降手段支柱８は連結部材９を介して足場２に連結して安定化させるのが好ましい。
【００４２】
支持部材３の上部にはレール４が取り付けられる。レール４の上部にはレール４に沿って滑走可能なローラー１０が配置されている。プレキャスト製バルコニー７は前記ローラー１０上に載置される。
【００４３】
なお、昇降手段支柱８の上部には受板１１が取り付けられており、受板１１上に昇降手段の一例としてジャッキ１２が設けられている。ここで、昇降手段はジャッキ１２に限られず、任意の公知の起重装置あるいはネジとナットを組み合わせた昇降手段を使用してもよい。
【００４４】
足場２は、適当な高さのところに作業員の通路となる天板１３を設ける。天板１３はレール４に沿って紙面の垂直方向に続いており、作業員はその上部を移動できるようになっている。
【００４５】
図４に人力によってプレキャスト製バルコニー７をスライドさせて移動させるところを示す。
【００４６】
図４において、足場２は下の階のバルコニー上を建造物の外壁に沿って設けられている。レール４は、間隔をおいて立設された支持部材３の上部に、建造物の外壁に沿って平行に設けられている。レール４上にはレール４に沿って滑走可能なローラー１０が配置されている。プレキャスト製バルコニー７は前記ローラー１０の上に載置されている。
【００４７】
天板１３は、前述したように、足場２に沿って作業員が通行できる通路を形成している。
【００４８】
本発明のプレキャスト製バルコニーのスライド工法によれば、プレキャスト製バルコニーの重さが７００ｋｇである場合、約２２ｋｇ程度の水平方向の力によってプレキャスト製バルコニー７をローラー１０の上に乗せたままレール４上をスライドさせられることが実証されている。
【００４９】
したがって、図４に示すように、本発明のプレキャスト製バルコニーのスライド工法によれば、いったんクレーン等によってプレキャスト製バルコニー７をローラー１０の上に載置した後は、作業員がプレキャスト製バルコニー７を押しながら天板１３上を移動することにより、プレキャスト製バルコニー７はレール４に沿ってスライドして搬送される。
【００５０】
なお、図３のように足場２を使用する代わりに、図５のように足場２を省略して支持部材３や昇降手段支柱８に直接通路を形成することができる。なお、図５において、図３と同一部分については同一の符号を付している。この場合、図５に示すように、支持部材３や昇降手段支柱８に部材２６を横に渡し、その上に足場板２７をかけて作業員がプレキャスト製バルコニー７を押して移動する通路を形成する。
【００５１】
図６にレール４の敷設の方法を示す。
【００５２】
図６に例示した建造物１は、建物の表と裏にバルコニーを取り付けるようになっている。この場合に、建造物１の角のクレーンがアクセスしやすいところに搬入領域６を設け、建物の表側には直線な搬送路のレール４を設け、建物の側面と裏側にコーナー部を有する搬送路のレール４を設ける。このようにレール４を設けることにより、搬入領域６から順次プレキャスト製バルコニー７を搬入し、レール４に沿って人力でプレキャスト製バルコニー７を押し、建造物１の表側と裏側の双方において奥の方のバルコニー取付場所からプレキャスト製バルコニー７を取り付けることができる。
【００５３】
建造物１の表側のプレキャスト製バルコニー７については、建造物１の表側の搬入領域６でローラー１０上にプレキャスト製バルコニー７を載置する際に、プレキャスト製バルコニー７は建造物の外壁からの設計された突出距離に合わせてほぼ正確に載置するようにすれば、バルコニー取付場所に搬送したプレキャスト製バルコニー７をそのまま仮固定することができる。
【００５４】
また、建造物１の裏側のプレキャスト製バルコニー７については、コーナー部でプレキャスト製バルコニー７を建造物側面のレール４から建造物裏面のレール４に載置し換える際に、建造物１の裏側の外壁から設計された突出距離に合わせてほぼ正確にプレキャスト製バルコニー７を載置し換えるようにすれば、建造物裏面においてもバルコニー取付場所に搬送したプレキャスト製バルコニー７をそのまま仮固定することができる。
【００５５】
また、前述のジャッキ１２等によってプレキャスト製バルコニー７をその取付場所に搬送した後に、適宜プレキャスト製バルコニー７を昇降させて設計高さに設置することもできる。
【００５６】
図７は、レール４のコーナー部１４を詳細に示している。
【００５７】
以下の説明では、便宜上コーナー部１４にプレキャスト製バルコニー７を搬入する側のレール４を第１方向のレール４と呼び、コーナー部１４からプレキャスト製バルコニー７を搬出する側のレール４を第２方向のレール４と呼ぶ。
【００５８】
コーナー部１４では、第１方向のレール４と第２方向のレール４は互いに９０°をなして交差している。なお、第１方向のレール４と第２方向のレール４の交差の角度は９０°と異なる場合も以下の説明が同様に当てはまる。
【００５９】
レール４同士の交差部は、後述するようにローラー１０のガイド部材の通過を妨げないようにレールの一部が途切れて間隙４ａを有している。
【００６０】
また、コーナー部１４の内部では、一時的にプレキャスト製バルコニー７を支承して昇降させる複数のジャッキ１２等の昇降手段が設けられている。
【００６１】
次に、図７を用いて、コーナー部１４でのプレキャスト製バルコニー７の搬送方向の変更方法について説明する。
【００６２】
最初に、プレキャスト製バルコニー７を第１方向のレール４に沿ってコーナー部１４に搬入する。そして、コーナー部１４において、プレキャスト製バルコニー７をジャッキ１２によって支承して上昇させて第１方向のレール上のローラー１０を取り外す。続いてプレキャスト製バルコニー７の下方の第２方向のレール４の上にローラー１０を挿入し、プレキャスト製バルコニー７をジャッキ１２によって下降させて第２方向のレール４上に設置したローラ１０上に載置し換える。
【００６３】
以上の操作により、プレキャスト製バルコニー７は第２方向のレール４の上設置したローラー１０に乗ったまま第２方向のレール４に沿って人力によってスライドして移動させられるようになる。
【００６４】
図８（ａ），８（ｂ）は、ローラー１０の構成を詳細に示している。
【００６５】
図８（ａ），８（ｂ）に示すように、ローラー１０は、円柱状部分を有する複数の転がり部材１５と、各転がり部材１５の両端から突出した回転軸１６と、各回転軸１６の両端部を回転可能に支持する一対の枠部材１７と、枠材１７から各転がり部材１５の外周面に接する面を超えて突設させた少なくとも１対のガイド部材１８とを有している。
【００６６】
図８（ｂ）はローラー１０をレール４上に配置した状態を示している。前述のように、ガイド部材１８は各転がり部材１５の外周面に接する面を超えて突設されているので、ガイド部材１８を図８（ｂ）に示すように下方向にレール４の両側に突出するようにローラー１０を配置することにより、ローラー１０は、転がり部材１５がレール４に当接してレール４上で転動し、ガイド部材１８によってガイドされてレール４に沿って滑走することができるようになる。滑走においてガイド部材１８によってローラー１０はレール４から脱落することがない。
【００６７】
前述したコーナー部１４においては、ガイド部材１８がレール４の交差部を通過するときに間隙４ａを通るので、ローラー１０はプレキャスト製バルコニー７を乗せたままプレキャスト製バルコニー７をコーナー部１４に搬入及び搬出することができる。
【００６８】
また、コーナー部１４において、ジャッキ１２等によってプレキャスト製バルコニー７を上昇させれば、第１方向のレール４のローラー１０を容易に抜き去ることができ、代わりに第２方向のレール４を挿入することもできる。
【００６９】
図９は、本発明の他の実施形態によるプレキャスト製バルコニースライド用のレールを示している。
【００７０】
このレール１９は頂部にローラーを有するものである。
【００７１】
図９に示すように、レール１９は、円柱状部分を有する複数の転がり部材２０と、各転がり部材２０の両端から突出した回転軸２１と、各転がり部材の両回転軸２１の端部を回転可能に支持する一対の枠部材２２とを有するローラー２３と、ローラー２３の枠部材２２を支承する受部材２４と、受部材２４を支持する支持部材２５とを有している。
【００７２】
本実施形態のレール１９によれば、ローラー２３はプレキャスト製バルコニーとともに移動はしない。レール１９のローラー２３の部分は受部材２４から着脱可能であることが好ましい。この場合、搬送路にそって支持部材２５と受部材２４のみを間隔をおいて設置し、プレキャスト製バルコニー７が通過する部分のみにローラー２３を設置してレール１９を形成し、プレキャスト製バルコニーが通過した後にローラー２３を取り外して、次にプレキャスト製バルコニーが通過する所の支持部材２５と受部材２４の上に設置することができる。
【００７３】
また、コーナー部においては、ローラー２３のみを取り外しおよび挿入することにより、第１方向のレールから第２方向のレールにプレキャスト製バルコニーを乗せ換えることができる。
【図面の簡単な説明】
【００７４】
【図１】本発明のプレキャスト製バルコニーのスライド工法の一工程を示した立面図。
【図２】図１を側面から見た側面断面図。
【図３】本発明のプレキャスト製バルコニーのスライド工法のための装置の詳細を示した立面図。
【図４】本発明のプレキャスト製バルコニーのスライド工法の一工程を示した立面図。
【図５】本発明のプレキャスト製バルコニーのスライド工法のための装置の詳細を示した立面図。
【図６】本発明のプレキャスト製バルコニーのスライド工法によるレールの敷設例を示した平面図。
【図７】コーナー部の構成を示した平面図。
【図８（ａ）】本発明のプレキャスト製バルコニースライド用ローラーの側面図。
【図８（ｂ）】本発明のプレキャスト製バルコニースライド用ローラーの正面図。
【図９】本発明のプレキャスト製バルコニースライド用レールの正面図。
【図１０】従来の工法の課題を説明した平面図。
【符号の説明】
【００７５】
１  建造物
２  足場
３  支持部材
４  レール
５  クレーン
６  搬入領域
７  プレキャスト製バルコニー
８  昇降手段支柱
９  連結部材
１０  ローラー
１１  受板
１２  ジャッキ
１３  天板
１４  コーナー部
１５  転がり部材
１６  回転軸
１７  枠部材
１８  ガイド部材
１９  レール
２０  転がり部材
２１  回転軸
２２  枠部材
２３  ローラー
２４  受部材
２５  支持部材
２６  部材
２７  足場板
【図１】
0004368659.tif 000002
【図２】
0004368659.tif 000003
【図３】
0004368659.tif 000004
【図４】
0004368659.tif 000005
【図５】
0004368659.tif 000006
【図６】
0004368659.tif 000007
【図７】
0004368659.tif 000008
【図８（ａ）】
0004368659.tif 000009
【図８（ｂ）】
0004368659.tif 000010
【図９】
0004368659.tif 000011
【図１０】
0004368659.tif 000012